(57)【要約】  【課題】  未選択側の記録再生部のモード内容が不明な状態で、選択している側の記録再生部でのチャンネル変更により、未選択側の記録再生部のモード（記録ポーズ）に対するチャンネル設定も同時に変更されるようなことを防止できる複合型情報記録再生装置を提供する。  【解決手段】  チューナ１に対してチャンネル切換え指示があると、システムコントローラ１０は、例えば選択側のＶＣＲ部９および未選択側のＤＶＤ部７がチャンネル切換え可能であった場合、未選択側のＤＶＤ部７が記録ポーズ中でないか否かを判定し、記録ポーズ中であると判定した場合は、チューナ１のチャンネル変更を禁止する。これにより、未選択側のＤＶＤ部７は、記録ポーズのときチャンネル切換えを行う状態になるのを防止することができ、したがって、誤操作を防止でき、装置の信頼性が向上する。【選択図】      図１
2005204224.tif 000002
【特許請求の範囲】
【請求項１】
選局した放送局からの映像音声情報を取り出すチューナと、第１の記録媒体に対して映
像音声情報の記録／再生を行う第１の記録再生部と、第２の記録媒体に対して映像音声情
報の記録／再生を行う第２の記録再生部とを備えた複合型情報記録再生装置において、前
記チューナに対してチャンネル切換え指示があった場合、現在選択している側の記録再生
部は前記第１の記録再生部であるか前記第２の記録再生部であるかを判定する選択側判定
部と、この選択側判定部により判定された現在選択している側の記録再生部がチャンネル
切換え可能であるか否かを判定すると共に、現在選択している側の記録再生部がチャンネ
ル切換え可能であると判定されたとき前記現在選択していない側の記録再生部がチャンネ
ル切換え可能であるか否かを判定するチャンネル切換え可能判定手段と、前記現在選択し
ている側の記録再生部がチャンネル切換え可能であり且つ前記現在選択していない側の記
録再生部がチャンネル切換え可能であると前記チャンネル切換え可能判定手段により判定
されたとき、前記現在選択していない側の記録再生部は記録ポーズ中でないか否かを判定
する記録ポーズ判定手段と、前記現在選択していない側の記録再生部は記録ポーズ中であ
ると前記記録ポーズ判定手段により判定されたときは前記チューナのチャンネル変更を禁
止するチャンネル変更禁止手段と、前記現在選択していない側の記録再生部は記録ポーズ
中でないと前記記録ポーズ判定手段により判定されたとき、前記現在選択していない側の
記録再生部に対してチャンネル切換え指示信号を送信するチャンネル切換え指示送信手段
と、前記チャンネル切換え指示信号の受信に応答して表示手段にチャンネル表示を出力す
るチャンネル表示出力手段とを、前記第１の記録再生部および前記第２の記録再生部のう
ち少なくとも一方のシステムコントローラに設けたことを特徴とする複合型情報記録再生
装置。
【請求項２】
選局した放送局からの映像音声情報を取り出すチューナと、第１の記録媒体に対して映
像音声情報の記録／再生を行う第１の記録再生部と、第２の記録媒体に対して映像音声情
報の記録／再生を行う第２の記録再生部とを備えた複合型情報記録再生装置において、前
記チューナに対してチャンネル切換え指示があった場合、前記第１の記録再生部および前
記第２の記録再生部のうち現在選択していない側の記録再生部が特定のモードになってい
るときは、前記チューナのチャンネル変更を禁止する機能を、前記第１の記録再生部およ
び前記第２の記録再生部のうち少なくとも一方のシステムコントローラに設けたことを特
徴とする複合型情報記録再生装置。
【請求項３】
前記特定のモードとは記録ポーズであることを特徴とする請求項２に記載の複合型情報
記録再生装置。
【請求項４】
選局した放送局からの映像音声情報を取り出すチューナと、第１の記録媒体に対して映
像音声情報の記録／再生を行う第１の記録再生部と、第２の記録媒体に対して映像音声情
報の記録／再生を行う第２の記録再生部とを備えた複合型情報記録再生装置において、前
記チューナに対してチャンネル切換え指示があった場合、前記第１の記録再生部および前
記第２の記録再生部のうち現在選択している側の記録再生部がチャンネル切換え可能で、
且つ現在選択していない側の記録再生部がチャンネル切換え可能であれば、前記現在選択
していない側の記録再生部が記録ポーズ中であるかを判定し、前記記録ポーズ中であれば
前記チューナに対するチャンネルの変更を禁止する機能を、前記第１の記録再生部および
前記第２の記録再生部のうち少なくとも一方のシステムコントローラに設けたことを特徴
とする複合型情報記録再生装置。
【請求項５】
前記システムコントローラは、チューナに対してチャンネル切換え指示があった場合、
現在選択している側の記録再生部は前記第１の記録再生部であるか前記第２の記録再生部
であるかを判定する選択側判定部と、この選択側判定部により判定された現在選択してい
る側の記録再生部がチャンネル切換え可能であるか否かを判定すると共に、現在選択して
いる側の記録再生部がチャンネル切換え可能であると判定されたとき前記現在選択してい
ない側の記録再生部がチャンネル切換え可能であるか否かを判定するチャンネル切換え可
能判定手段と、前記現在選択している側の記録再生部がチャンネル切換え可能であり且つ
前記現在選択していない側の記録再生部がチャンネル切換え可能であると前記チャンネル
切換え可能判定手段により判定されたとき、前記現在選択していない側の記録再生部は記
録ポーズ中でないか否かを判定する記録ポーズ判定手段と、前記現在選択していない側の
記録再生部は記録ポーズ中であると前記記録ポーズ判定手段により判定されたときは前記
チューナのチャンネル変更を禁止するチャンネル変更禁止手段とを、前記第１の記録再生
部および前記第２の記録再生部のうち少なくとも一方のシステムコントローラに設けたこ
とを特徴とする請求項４に記載の複合型情報記録再生装置。
【請求項６】
前記システムコントローラは、現在選択していない側の記録再生部は記録ポーズ中でな
いと前記記録ポーズ判定手段により判定されたとき、前記現在選択していない側の記録再
生部に対してチャンネル切換え指示信号を送信するチャンネル切換え指示送信手段と、前
記チャンネル切換え指示信号の受信に応答して表示手段にチャンネル表示を出力するチャ
ンネル表示出力手段とを、前記第１の記録再生部および前記第２の記録再生部のうち少な
くとも一方のシステムコントローラに設けたことを特徴とする請求項５に記載の複合型情
報記録再生装置。
【発明の詳細な説明】
【技術分野】
【０００１】
本発明は、選局した放送局からの映像音声情報を取り出すチューナと、第１の記録媒体
に対して映像音声情報の記録／再生を行う第１の記録再生部と、第２の記録媒体に対して
映像音声情報の記録／再生を行う第２の記録再生部とを備えた複合型情報記録再生装置に
関する。
【背景技術】
【０００２】
従来から、この種の複合型情報記録再生装置は、選局した放送局からの映像音声情報を
取り出すチューナと、例えば第１の記録媒体としての磁気テープに映像音声情報を記録し
たり磁気テープに記録された映像音声情報を再生したりする第１の記録再生部としてのＶ
ＣＲ（ビデオ・カセット・レコーダ）部と、例えば第２の記録媒体としてのＤＶＤ（デジ
タル・バーサタイル・ディスク）に映像音声情報を記録したりＤＶＤに記録された映像音
声情報を再生したりする第２の記録再生部としてのＤＶＤ部と備えている。
【０００３】
また、この種の複合型情報記録再生装置は、チューナと第１外部入力端子と第２外部入
力端子からの信号を選択してＶＣＲ部またはＤＶＤ部に入力する入力選択回路と、ＶＣＲ
部またはＤＶＤ部からの映像音声情報を選択してテレビなどに出力する出力選択回路と、
ＶＣＲ部またはＤＶＤ部を操作するためのリモコン（リモートコントローラ）と、リモコ
ンなどによって操作されたモード内容などを表示する表示部とを備えている。
【０００４】
このような構成の複合型情報記録再生装置において、例えば、ＶＣＲ部の出力が出力選
択回路により選択され、出力選択回路からの映像音声情報がテレビなどに供給され、映像
化および音声化が行われる。このとき、表示部には、ＶＣＲ部のモード内容が表示され、
ＶＣＲ部が何の処理を行ってしているかを確認することができる。
【特許文献１】特開平２−１８６８８６号公報
【特許文献２】特開平６−２３３２０１号公報
【特許文献３】特開２００２−４４６１２号公報
【特許文献４】実登３０９３９７４号公報
【発明の開示】
【発明が解決しようとする課題】
【０００５】
しかしながら、ＤＶＤ部のモード内容は表示部には表示されないので、ＤＶＤ部は何の
処理を行っているのかが、ユーザは把握できない。ＤＶＤ部が、例えばテレビのＡチャン
ネルの放送の映像音声情報を記録する前の準備状態である記録ポーズ（ＲＥＣ  ＰＡＵＳ
Ｅ）中であるとき、ユーザが忘れていてチューナのチャンネルを例えばチャンネルＢに切
換えたり、あるいは他の人が勝手に例えばチャンネルＣに切換えたりすると、記録時には
ユーザが希望していた以外のチャンネルの放送の映像音声情報がＤＶＤ部によってＤＶＤ
に記録されるという課題が生じる。
【０００６】
即ち、このような従来の複合型情報記録再生装置では、未選択側の記録再生部のモード
内容が不明な状態で、選択した側の記録再生部でのモード変更により、未選択側の記録再
生部もチューナに対するチャンネル設定が同時に変更されてしまい、未選択側の記録再生
部のモードが記録ポーズであった場合、未選択側の記録再生部はユーザが希望しない放送
局の映像音声情報を記録してしまうという課題が生じる。
【０００７】
なお、特許文献１，２の従来技術は、異なる記録再生部を２個有する複合型情報記録再
生装置ではないので、本件とは目的も異なり、上記のような課題を解決できるものではな
い。また、特許文献３，４の従来技術は、異なる記録再生部を２個有する複合型情報記録
再生装置であるが、一方の記録再生部が記録ポーズである場合にチャンネルを切換えるこ
とを防止するための対策がなされていないので、上記のような課題を解決できるものでは
ない。
【０００８】
本発明は、上記のような課題を解決するためになされたもので、未選択側の記録再生部
のモード内容が不明な状態で、選択している側の記録再生部でのモード変更（チャンネル
変更）により、未選択側の記録再生部のモード（記録ポーズ）に対するチャンネル設定も
同時に変更されるようなことを防止できる複合型情報記録再生装置を提供することを目的
とする。
【課題を解決するための手段】
【０００９】
上記目的を達成するために、請求項１の発明は、選局した放送局からの映像音声情報を
取り出すチューナと、第１の記録媒体に対して映像音声情報の記録／再生を行う第１の記
録再生部と、第２の記録媒体に対して映像音声情報の記録／再生を行う第２の記録再生部
とを備えた複合型情報記録再生装置において、前記チューナに対してチャンネル切換え指
示があった場合、現在選択している側の記録再生部は前記第１の記録再生部であるか前記
第２の記録再生部であるかを判定する選択側判定部と、この選択側判定部により判定され
た現在選択している側の記録再生部がチャンネル切換え可能であるか否かを判定すると共
に、現在選択している側の記録再生部がチャンネル切換え可能であると判定されたとき前
記現在選択していない側の記録再生部がチャンネル切換え可能であるか否かを判定するチ
ャンネル切換え可能判定手段と、前記現在選択している側の記録再生部がチャンネル切換
え可能であり且つ前記現在選択していない側の記録再生部がチャンネル切換え可能である
と前記チャンネル切換え可能判定手段により判定されたとき、前記現在選択していない側
の記録再生部は記録ポーズ中でないか否かを判定する記録ポーズ判定手段と、前記現在選
択していない側の記録再生部は記録ポーズ中であると前記記録ポーズ判定手段により判定
されたときは前記チューナのチャンネル変更を禁止するチャンネル変更禁止手段と、前記
現在選択していない側の記録再生部は記録ポーズ中でないと前記記録ポーズ判定手段によ
り判定されたとき、前記現在選択していない側の記録再生部に対してチャンネル切換え指
示信号を送信するチャンネル切換え指示送信手段と、前記チャンネル切換え指示信号の受
信に応答して表示手段にチャンネル表示を出力するチャンネル表示出力手段とを、前記第
１の記録再生部および前記第２の記録再生部のうち少なくとも一方のシステムコントロー
ラに設けたことを特徴とする複合型情報記録再生装置を提供する。
【００１０】
この構成において、チューナに対してチャンネル切換え指示があり、現在選択している
側の記録再生部が例えば第１の記録再生部であると選択側判定部により判定された場合、
第１の記録再生部がチャンネル切換え可能であり、且つ第２の記録再生部がチャンネル切
換え可能であるとチャンネル切換え可能判定手段により判定されると、第２の記録再生部
は記録ポーズ中でないか否かが記録ポーズ判定手段により判定される。
【００１１】
第２の記録再生部が記録ポーズ中でないと判定された場合は、チャンネル切換え指示送
信手段は第２の記録再生部に対してチャンネル切換え指示信号を送信し、これに応答して
チャンネル表示出力手段は表示手段にチャンネル表示を出力する。一方、第２の記録再生
部が記録ポーズ中であると判定された場合は、チャンネル変更禁止手段は、チューナのチ
ャンネル変更を禁止する。
【００１２】
この構成によれば、未選択側の記録再生部のモード内容が不明な状態で、選択している
側の記録再生部でのモード変更（チャンネル変更）により、未選択側の記録再生部のモー
ド（記録ポーズ）に対するチャンネル設定も同時に変更されるようなことがなくなり、こ
れにより、ユーザが意図していない状態（記録ポーズのときチャンネル切換えを行う状態
）になるのを防止することができ、したがって、誤操作を防止でき、装置の信頼性が向上
する。
【００１３】
請求項２の発明は、選局した放送局からの映像音声情報を取り出すチューナと、第１の
記録媒体に対して映像音声情報の記録／再生を行う第１の記録再生部と、第２の記録媒体
に対して映像音声情報の記録／再生を行う第２の記録再生部とを備えた複合型情報記録再
生装置において、前記チューナに対してチャンネル切換え指示があった場合、前記第１の
記録再生部および前記第２の記録再生部のうち現在選択していない側の記録再生部が特定
のモードになっているときは、前記チューナのチャンネル変更を禁止する機能を、前記第
１の記録再生部および前記第２の記録再生部のうち少なくとも一方のシステムコントロー
ラに設けたことを特徴とする複合型情報記録再生装置を提供する。
【００１４】
この構成において、チューナに対してチャンネル切換え指示があった場合、例えば、第
１の記録再生部が現在選択されていて、第２の記録再生部が現在選択されていない場合で
、第２の記録再生部が特定のモードになっているときは、第１の記録再生部でチャンネル
変更の指示があっても、前記チューナのチャンネルは変更されない。
【００１５】
この構成によれば、未選択側の記録再生部のモード内容が不明な状態で、選択している
側の記録再生部でのモード変更（チャンネル変更）により、未選択側の記録再生部の特定
のモードに対するチャンネル設定も同時に変更されるようなことがなくなり、これにより
、ユーザが意図していない状態（特定のモードのときチャンネル切換えを行う状態）にな
るのを防止することができ、したがって、誤操作を防止でき、装置の信頼性が向上する。
【００１６】
請求項３の発明では、請求項２の発明において、特定のモードとは記録ポーズであるの
で、選択している側の記録再生部でのモード変更（チャンネル変更）により、未選択側の
記録再生部の記録ポーズに対するチャンネル切換えを防止することが可能になる。
【００１７】
請求項４の発明は、選局した放送局からの映像音声情報を取り出すチューナと、第１の
記録媒体に対して映像音声情報の記録／再生を行う第１の記録再生部と、第２の記録媒体
に対して映像音声情報の記録／再生を行う第２の記録再生部とを備えた複合型情報記録再
生装置において、前記チューナに対してチャンネル切換え指示があった場合、前記第１の
記録再生部および前記第２の記録再生部のうち現在選択している側の記録再生部がチャン
ネル切換え可能で、且つ現在選択していない側の記録再生部がチャンネル切換え可能であ
れば、前記現在選択していない側の記録再生部が記録ポーズ中であるかを判定し、前記記
録ポーズ中であれば前記チューナに対するチャンネルの変更を禁止する機能を、前記第１
の記録再生部および前記第２の記録再生部のうち少なくとも一方のシステムコントローラ
に設けたことを特徴とする複合型情報記録再生装置を提供する。
【００１８】
この構成において、チューナに対してチャンネル切換え指示があった場合、例えば、現
在選択している側の第１の記録再生部がチャンネル切換え可能で、且つ現在選択していな
い側の第２の記録再生部がチャンネル切換え可能であれば、前記第２の記録再生部が記録
ポーズ中であるかが判定され、記録ポーズ中であれば前記チューナに対するチャンネルの
変更が禁止される。
【００１９】
この構成によれば、未選択側の記録再生部のモード内容が不明な状態で、選択している
側の記録再生部でのモード変更（チャンネル変更）により、未選択側の記録再生部の記録
ポーズに対するチャンネル設定も同時に変更されるようなことがなくなり、これにより、
ユーザが意図していない状態（記録ポーズのときチャンネル切換えを行う状態）になるの
を防止することができ、したがって、誤操作を防止でき、装置の信頼性が向上する。
【００２０】
請求項５の発明では、請求項４の発明において、システムコントローラは、チューナに
対してチャンネル切換え指示があった場合、現在選択している側の記録再生部は前記第１
の記録再生部であるか前記第２の記録再生部であるかを判定する選択側判定部と、この選
択側判定部により判定された現在選択している側の記録再生部がチャンネル切換え可能で
あるか否かを判定すると共に、現在選択している側の記録再生部がチャンネル切換え可能
であると判定されたとき前記現在選択していない側の記録再生部がチャンネル切換え可能
であるか否かを判定するチャンネル切換え可能判定手段と、前記現在選択している側の記
録再生部がチャンネル切換え可能であり且つ前記現在選択していない側の記録再生部がチ
ャンネル切換え可能であると前記チャンネル切換え可能判定手段により判定されたとき、
前記現在選択していない側の記録再生部は記録ポーズ中でないか否かを判定する記録ポー
ズ判定手段と、前記現在選択していない側の記録再生部は記録ポーズ中であると前記記録
ポーズ判定手段により判定されたときは前記チューナのチャンネル変更を禁止するチャン
ネル変更禁止手段とを有するので、未選択側の記録再生部のモード内容が不明な状態で、
選択している側の記録再生部でのモード変更（チャンネル変更）により、未選択側の記録
再生部の記録ポーズに対するチャンネル設定も同時に変更されるのが防止できる。
【００２１】
請求項６の発明では、請求項５の発明において、システムコントローラは、現在選択し
ていない側の記録再生部は記録ポーズ中でないと前記記録ポーズ判定手段により判定され
たとき、前記現在選択していない側の記録再生部に対してチャンネル切換え指示信号を送
信するチャンネル切換え指示送信手段と、前記チャンネル切換え指示信号の受信に応答し
て表示手段にチャンネル表示を出力するチャンネル表示出力手段とを有するので、現在選
択していない側の記録再生部が記録ポーズ中でない場合は、チャンネル切換え指示に従っ
てチャンネルが切換えられ、このチャンネルを表示手段に表示することができる。
【発明の効果】
【００２２】
以上のように本発明によれば、選局した放送局からの映像音声情報を取り出すチューナ
と、第１の記録媒体に対して映像音声情報の記録／再生を行う第１の記録再生部と、第２
の記録媒体に対して映像音声情報の記録／再生を行う第２の記録再生部とを備えた複合型
情報記録再生装置において、前記チューナに対してチャンネル切換え指示があった場合、
現在選択している側の記録再生部は前記第１の記録再生部であるか前記第２の記録再生部
であるかを判定する選択側判定部と、この選択側判定部により判定された現在選択してい
る側の記録再生部がチャンネル切換え可能であるか否かを判定すると共に、現在選択して
いる側の記録再生部がチャンネル切換え可能であると判定されたとき前記現在選択してい
ない側の記録再生部がチャンネル切換え可能であるか否かを判定するチャンネル切換え可
能判定手段と、前記現在選択している側の記録再生部がチャンネル切換え可能であり且つ
前記現在選択していない側の記録再生部がチャンネル切換え可能であると前記チャンネル
切換え可能判定手段により判定されたとき、前記現在選択していない側の記録再生部は記
録ポーズ中でないか否かを判定する記録ポーズ判定手段と、前記現在選択していない側の
記録再生部は記録ポーズ中であると前記記録ポーズ判定手段により判定されたときは前記
チューナのチャンネル変更を禁止するチャンネル変更禁止手段と、前記現在選択していな
い側の記録再生部は記録ポーズ中でないと前記記録ポーズ判定手段により判定されたとき
、前記現在選択していない側の記録再生部に対してチャンネル切換え指示信号を送信する
チャンネル切換え指示送信手段と、前記チャンネル切換え指示信号の受信に応答して表示
手段にチャンネル表示を出力するチャンネル表示出力手段とを、前記第１の記録再生部お
よび前記第２の記録再生部のうち少なくとも一方のシステムコントローラに設けたので、
未選択側の記録再生部のモード内容が不明な状態で、選択している側の記録再生部でのモ
ード変更（チャンネル変更）により、未選択側の記録再生部のモード（記録ポーズ）に対
するチャンネル設定も同時に変更されるようなことがなくなり、これにより、ユーザが意
図していない状態（記録ポーズのときチャンネル切換えを行う状態）になるのを防止する
ことができ、したがって、誤操作を防止でき、装置の信頼性が向上する。
【００２３】
また、本発明によれば、選局した放送局からの映像音声情報を取り出すチューナと、第
１の記録媒体に対して映像音声情報の記録／再生を行う第１の記録再生部と、第２の記録
媒体に対して映像音声情報の記録／再生を行う第２の記録再生部とを備えた複合型情報記
録再生装置において、前記チューナに対してチャンネル切換え指示があった場合、前記第
１の記録再生部および前記第２の記録再生部のうち現在選択していない側の記録再生部が
特定のモードになっているときは、前記チューナのチャンネル変更を禁止する機能を、前
記第１の記録再生部および前記第２の記録再生部のうち少なくとも一方のシステムコント
ローラに設けたので、未選択側の記録再生部のモード内容が不明な状態で、選択している
側の記録再生部でのモード変更（チャンネル変更）により、未選択側の記録再生部の特定
のモードに対するチャンネル設定も同時に変更されるようなことがなくなり、これにより
、ユーザが意図していない状態（特定のモードのときチャンネル切換えを行う状態）にな
るのを防止することができ、したがって、誤操作を防止でき、装置の信頼性が向上する。
【００２４】
また、本発明によれば、選局した放送局からの映像音声情報を取り出すチューナと、第
１の記録媒体に対して映像音声情報の記録／再生を行う第１の記録再生部と、第２の記録
媒体に対して映像音声情報の記録／再生を行う第２の記録再生部とを備えた複合型情報記
録再生装置において、前記チューナに対してチャンネル切換え指示があった場合、前記第
１の記録再生部および前記第２の記録再生部のうち現在選択している側の記録再生部がチ
ャンネル切換え可能で、且つ現在選択していない側の記録再生部がチャンネル切換え可能
であれば、前記現在選択していない側の記録再生部が記録ポーズ中であるかを判定し、前
記記録ポーズ中であれば前記チューナに対するチャンネルの変更を禁止する機能を、前記
第１の記録再生部および前記第２の記録再生部のうち少なくとも一方のシステムコントロ
ーラに設けたので、未選択側の記録再生部のモード内容が不明な状態で、選択している側
の記録再生部でのモード変更（チャンネル変更）により、未選択側の記録再生部の記録ポ
ーズに対するチャンネル設定も同時に変更されるようなことがなくなり、これにより、ユ
ーザが意図していない状態（記録ポーズのときチャンネル切換えを行う状態）になるのを
防止することができ、したがって、誤操作を防止でき、装置の信頼性が向上する。
【発明を実施するための最良の形態】
【００２５】
以下、添付図面を参照しつつ、本発明の実施の形態について説明する。図１は本発明の
一実施形態に係る複合型情報記録再生装置の構成を示すブロック図である。
【００２６】
この複合型情報記録再生装置は、選局した放送局からの映像音声情報を取り出すチュー
ナ１と、例えば装置本体の前部に設けられ他の装置からの映像音声信号を入力するための
第１外部入力端子２と、例えば装置本体の後部に設けられ他の装置からの映像音声信号を
入力するための第２外部入力端子３と、映像音声信号をテレビ等に出力するための出力端
子４と、チューナ１の出力信号と第１外部入力端子２の出力信号と第２外部入力端子３の
出力信号の何れかを選択して入力する入力選択回路５と、後記のＶＣＲ部９とＤＶＤ部７
の出力信号の何れかを選択して出力する出力選択回路６とを備えている。
【００２７】
また、この複合型情報記録再生装置は、磁気テープに映像音声情報を記録したり磁気テ
ープに記録された映像音声情報を再生したりする第１の記録再生部としてのＶＣＲ部９と
、ＤＶＤに映像音声情報を記録したりＤＶＤに記録された映像音声情報を再生したりする
第２の記録再生部としてのＤＶＤ部７と、ＶＣＲ部９を操作するための複数のキーを有す
る操作部１４と、ＤＶＤ部７を操作するための複数のキーを有する操作部１１と、リモコ
ン１５からの操作内容を示す赤外光信号を受光してＶＣＲ部９またはＤＶＤ部７を操作す
るための信号を出力するリモコン受光部１３とを備えている。
【００２８】
ＶＣＲ部９のシステムコントローラ１０には、チューナ１に対してチャンネル切換え指
示があった場合、現在選択している側の記録再生部はＶＣＲ部９であるかＤＶＤ部７であ
るかを判定する選択側判定部１０１と、この選択側判定部１０１により判定された現在選
択している側の記録再生部がチャンネル切換え可能であるか否かを判定すると共に、現在
選択している側の記録再生部がチャンネル切換え可能であると判定されたとき前記現在選
択していない側の記録再生部がチャンネル切換え可能であるか否かを判定するチャンネル
切換え可能判定手段１０２とが備えられている。
【００２９】
また、システムコントローラ１０には、前記現在選択している側の記録再生部がチャン
ネル切換え可能であり、且つ前記現在選択していない側の記録再生部がチャンネル切換え
可能であるとチャンネル切換え可能判定手段１０２により判定されたとき、前記現在選択
していない側の記録再生部は記録ポーズ中でないか否かを判定する記録ポーズ判定手段１
０３と、前記現在選択していない側の記録再生部は記録ポーズ中であると記録ポーズ判定
手段１０３により判定されたときはチューナ１のチャンネル変更を禁止するチャンネル変
更禁止手段１０４とが備えられている。
【００３０】
また、システムコントローラ１０には、前記現在選択していない側の記録再生部は記録
ポーズ中でないと記録ポーズ判定手段１０３により判定されたとき、前記現在選択してい
ない側の記録再生部に対してチャンネル切換え指示信号を送信するチャンネル切換え指示
送信手段１０５と、前記チャンネル切換え指示信号の受信に応答して表示部１２にチャン
ネル表示を出力するチャンネル表示出力手段１０６とが備えられている。なお、ここでは
、ＶＣＲ部９を中心として各手段による制御を行う構成としたが、ＤＶＤ部７を中心とし
て制御する場合は、ＤＶＤ部７のシステムコントローラ８に前記各手段を持たせれば良い
。システムコントローラ８，９はマイクロコンピュータなどで実現される。
【００３１】
この構成の複合型情報記録再生装置において、ＶＣＲ部９は、装置本体の所定位置にセ
ットされたビデオカセットの磁気テープに、チューナ１や第１外部入力端子２あるいは第
２外部入力端子３から入力選択回路５を介して入力された映像音声情報を記録すると共に
、ビデオカセットの磁気テープに記録された映像音声情報を再生する。
【００３２】
このＶＣＲ部９のシステムコントローラ１０は、ユーザがリモコン１５のキーを操作し
て入力したＶＣＲ部９に対する操作命令を、リモコン受光部１３を介して受信し、この操
作命令に基づいて記録や再生などをＶＣＲ部９に対して行うように制御する。また、この
ＶＣＲ部９のシステムコントローラ１０は、出力選択回路６の切換えを制御する機能を有
し、ＶＣＲ部９の出力信号を出力端子４に出力するか、ＤＶＤ部７の出力信号を出力端子
４に出力するかの切り換えを行う。ＶＣＲ部９からの再生映像音声情報は、ラインＬ２を
介して出力選択回路６に入力され、出力選択回路６は、ラインＬ１を介して入力された出
力切換え信号がＶＣＲ部９側の選択を示すとき、ＶＣＲ部９からの再生映像音声情報は出
力端子４から出力されることになる。
【００３３】
ＤＶＤ部７は、装置本体の所定位置にセットされたＤＶＤに、チューナ１や第１外部入
力端子２あるいは第２外部入力端子３から入力選択回路５を介して入力された映像音声情
報を記録すると共に、ＤＶＤに記録された映像音声情報を再生する。
【００３４】
このＤＶＤ部７のシステムコントローラ８は、ユーザがリモコン１５のキーを操作して
入力したＤＶＤ部７に対する操作命令を、リモコン受光部１３を介して受信し、この操作
命令に基づいて記録や再生などをＤＶＤ部７に対して行うように制御する。また、このＤ
ＶＤ部７のシステムコントローラ８は、ＶＣＲ部９のシステムコントローラ１０に対して
、出力選択回路６をＤＶＤ部７側に切り換えを行うように切換信号を出力したりする。Ｄ
ＶＤ部７からの再生映像音声情報は、ラインＬ３を介して出力選択回路６に入力され、出
力選択回路６はラインＬ１を介して入力された出力切換え信号がＤＶＤ部７側の選択を示
すときＤＶＤ部７からの再生映像音声情報は出力端子４から出力されることになる。
【００３５】
図２は本実施形態においてチャンネル切換えに関連する処理を説明するためのフローチ
ャートである。このフローチャートを参照してチャンネル切換えに関連する処理を説明す
る。
【００３６】
ここの説明を分かり易くするために、この複合型情報記録再生装置では、出力選択回路
６は、ＶＣＲ部９からの出力切換え信号（ラインＬ１の信号）によりＶＣＲ部９の出力信
号（ラインＬ２の信号）を選択し、出力端子４を介して図示しないテレビ等に供給し、Ｖ
ＣＲ部９で再生された映像音声情報を映像化および音声化しているとする。また、一方、
チューナ１で選局した放送局（例えばチャンネルＡ）からの映像音声情報をＤＶＤ部７で
記録したいため、ＤＶＤ部７が記録ポーズ（ＲＥＣ  ＰＡＵＳＥ）にモード設定されてい
るとする。
【００３７】
ここで、リモコン１５を操作してＶＣＲ部９を再生停止させ、チャンネルＢの放送番組
を観るため、あるいはチャンネルＢの放送番組をＶＣＲ部９で記録するため、リモコン１
５を操作してチャンネル切換え指示をＶＣＲ部９に与えると（ステップＳ１）、ＶＣＲ部
９のシステムコントローラ１０において、現在選択している側の記録再生部はＶＣＲ部９
であるかＤＶＤ部７であるかが選択側判定手段１０１により判定される（ステップＳ２）
。
【００３８】
ここの説明の場合、現在選択している側の記録再生部はＶＣＲ部９であるので、次に、
ＶＣＲ部９はチャンネル切換え可能であるか否かがチャンネル切換え可能判定手段１０２
により判定され（ステップＳ３）、チャンネル切換え可能であれば、ＤＶＤ部７がチャン
ネル切換え可能であるか否かが同じくチャンネル切換え可能判定手段１０２により判定さ
れる（ステップＳ４）。この判定は、ＶＣＲ部９とＤＶＤ部７とを接続するバスラインＬ
４を介してお互いのデータがやり取りされているので、ＶＣＲ部９側でＤＶＤ部７側のモ
ードを検知することにより可能となる。
【００３９】
ＶＣＲ部９およびＤＶＤ部７がチャンネル切換え可能であれば、ＤＶＤ部７は記録ポー
ズ中ではないか否かが記録ポーズ判定手段１０３により判定される（ステップＳ５）。そ
して、ＤＶＤ部７は記録ポーズ中ではないと判定された場合は、チューナ１に対してチャ
ンネル切換え指示信号がチャンネル切換え指示送信手段１０５により送信され（ステップ
Ｓ６）、次に、表示部１２には、切換えられたチャンネルがチャンネル表示出力手段１０
６により表示される（ステップＳ７）。
【００４０】
一方、ＶＣＲ部９はチャンネル切換え可能でないと判定された場合（ステップＳ３）、
ＤＶＤ部７がチャンネル切換え可能でないと判定された場合（ステップＳ４）、ＤＶＤ部
７は記録ポーズ中であると判定された場合（ステップＳ５）は、チャンネル変更禁止手段
１０４により、チューナ１のチャンネル変更は禁止され（ステップＳ１１）、ステップＳ
１の処理に戻る。
【００４１】
現在選択している側の記録再生部がＤＶＤ部７である場合は（ステップＳ２）、ＤＶＤ
部７はチャンネル切換え可能であるか否かがチャンネル切換え可能判定手段１０２により
判定され（ステップＳ８）、チャンネル切換え可能であれば、ＶＣＲ部９がチャンネル切
換え可能であるか否かが同じくチャンネル切換え可能判定手段１０２により判定される（
ステップＳ９）。
【００４２】
ＤＶＤ部７およびＶＣＲ部９がチャンネル切換え可能であれば、ＶＣＲ部９は記録ポー
ズ中ではないか否かが記録ポーズ判定手段１０３により判定される（ステップＳ１０）。
そして、ＶＣＲ部９は記録ポーズ中ではないと判定された場合は、チューナ１に対してチ
ャンネル切換え指示信号がチャンネル切換え指示送信手段１０５により送信され（ステッ
プＳ６）、次に、表示部１２には、切換えられたチャンネルがチャンネル表示出力手段１
０６により表示される（ステップＳ７）。
【００４３】
一方、ＤＶＤ部７はチャンネル切換え可能でないと判定された場合（ステップＳ８）、
ＶＣＲ部９がチャンネル切換え可能でないと判定された場合（ステップＳ９）、ＶＣＲ部
９は記録ポーズ中であると判定された場合（ステップＳ１０）は、チャンネル変更禁止手
段１０４により、チューナ１のチャンネル変更は禁止され（ステップＳ１２）、ステップ
Ｓ１の処理に戻る。
【００４４】
なお、本実施形態では、ＶＣＲ部（ＶＨＳ型ビデオテープレコーダ）とＤＶＤ部（ＤＶ
Ｄレコーダ）との組み合わせの複合型情報記録再生装置について説明したが、これに限ら
ず、ＤＶＤレコーダとハードディスクレコーダとの組み合わせの複合型情報記録再生装置
であっても良く、また、その他、２種類の記録再生機器の組み合わせの複合型情報記録再
生装置でも良い。
【００４５】
従来の複合型情報記録再生装置では、未選択側の記録再生部が記録ポーズ中であること
の確認ができない状態でチューナのチャンネル切換えを可能にしているが、チューナが１
つであるため、チャンネル切換えにより未選択側の記録再生部に対するチャンネル選定も
同時に切り換ることになり、これにより、ユーザの意図していない状態（記録ポーズのと
きチャンネル切換えを行う状態）になったが、本実施形態によれば、未選択側の記録再生
部のモード内容が記録ポーズであることを確認できない状態で、選択している側の記録再
生部でのチャンネル変更により、未選択側の記録再生部の記録ポーズに対するチューナの
チャンネル設定も同時に変更されるようなことがなくなり、これにより、ユーザが意図し
ていない状態（記録ポーズのときチャンネル切換えを行う状態）になるのを防止すること
ができ、したがって、誤操作を防止でき、装置の信頼性が向上する。
【図面の簡単な説明】
【００４６】
【図１】本発明の一実施形態に係る複合型情報記録再生装置の構成を示すブロック図である。
【図２】前記実施形態においてチャンネル切換えに関連する処理を説明するためのフローチャートである。
【符号の説明】
【００４７】
１    チューナ
７    ＤＶＤ部（第２の記録再生部）
９    ＶＣＲ部（第１の記録再生部）
１２    表示部（表示手段）
１０    システムコントローラ
１０１    選択側判定手段
１０２    チャンネル切換え可能判定手段
１０３    記録ポーズ判定手段
１０４    チャンネル変更禁止手段
１０５    チャンネル切換え指示送信手段
１０６    チャンネル表示出力手段
【図１】
2005204224.tif 000003
【図２】
2005204224.tif 000004